(57)【要約】【課題】  気体の移動が抑制されて、大気圧より低い圧力状態に減圧される貯蔵室を有する冷蔵庫において、コンパクトかつ安価な脱臭部材により、脱臭効果を向上させた冷蔵庫を得る。【解決手段】  大気圧より低い圧力状態に減圧される貯蔵室と、前記貯蔵室を開閉する蓋部材とを有する冷蔵庫において、前記貯蔵室内の水分を吸着して保持すると共に前記貯蔵室内の悪臭成分を脱臭する脱臭部材を前記貯蔵室内に有し、該脱臭部材は前記貯蔵室内の水分を吸着して保持する吸湿性繊維と前記貯蔵室内の悪臭成分を吸着もしくは分解して脱臭する消臭性繊維とで一体に形成されたことを特徴とする。【選択図】図１
2010038493.tif 000002
【特許請求の範囲】
【請求項１】
大気圧より低い圧力状態に減圧される貯蔵室と、前記貯蔵室を開閉する蓋部材とを有する冷蔵庫において、
前記貯蔵室内の水分を吸着して保持すると共に前記貯蔵室内の悪臭成分を脱臭する脱臭部材を前記貯蔵室内に有し、該脱臭部材は前記貯蔵室内の水分を吸着して保持する吸湿性繊維と前記貯蔵室内の悪臭成分を吸着もしくは分解して脱臭する消臭性繊維とで一体に形成されたことを特徴とする冷蔵庫。
【請求項２】
大気圧より低い圧力状態に減圧される貯蔵室と、前記貯蔵室を開閉する蓋部材とを有する冷蔵庫において、
前記貯蔵室内の水分を吸着して保持し且つ保持した水分を放出すると共に前記貯蔵室内の悪臭成分を脱臭する脱臭部材を前記貯蔵室内に有し、前記脱臭部材は前記貯蔵室内の水分を吸着して保持すると共に保持した水分を放出する吸放湿性繊維と前記貯蔵室内の悪臭成分を吸着もしくは分解して脱臭する消臭性繊維とで一体に形成されたことを特徴とする冷蔵庫。
【請求項３】
請求項１または２において、前記消臭性繊維は架橋構造を有すると共に金属塩の微粒子を含有したものであることを特徴とする冷蔵庫。
【請求項４】
請求項１または２において、前記消臭性繊維は架橋繊維のカルボキシル基の少なくとも一部にＡｇイオンを結合させた後、アルカリ処理によってＡｇを繊維表面にナノサイズレベルの超微粒子状に析出固着させたものであることを特徴とする冷蔵庫。
【請求項５】
請求項２において、前記吸放湿性繊維はアクリレート系の吸放湿性繊維とし、前記消臭性繊維はアルカリ金属塩型カルボキシル基と架橋構造を有するアクリレート系繊維に酸化銀の微粒子を含有したものであることを特徴とする冷蔵庫。
【請求項６】
請求項５において、前記消臭性繊維または吸放出性繊維の少なくともいずれかに第４級アンモニウム塩を含浸させたことを特徴とする冷蔵庫。
【請求項７】
請求項１または２において、前記脱臭部材を構成する消臭性繊維の占める割合は２１乃至５０重量％であることを特徴とする冷蔵庫。
【請求項８】
大気圧より低い圧力状態に減圧される貯蔵室と、前記貯蔵室を開閉する蓋部材とを有する冷蔵庫において、
前記貯蔵室内の水分を吸着して保持すると共に前記貯蔵室内の悪臭成分を脱臭する脱臭部材を有し、前記脱臭部材は前記貯蔵室内の水分を吸着して保持する吸湿性繊維と前記貯蔵室内の悪臭成分を吸着もしくは分解して脱臭する消臭性繊維とで一体的に板状に形成され、前記貯蔵室の空気排気口の近傍に配置したことを特徴とする冷蔵庫。
【発明の詳細な説明】
【技術分野】
【０００１】
本発明は、冷蔵庫に関するものである。
【背景技術】
【０００２】
従来、脱臭機能を備えた冷蔵庫としては、冷気通風路に脱臭材を配置し、冷気の循環により脱臭を行うものや、冷気循環ファンそのものに脱臭機能を持たせ、脱臭を行うものがあった。
【０００３】
【特許文献１】特開２００３−０５００７９号公報
【発明の開示】
【発明が解決しようとする課題】
【０００４】
しかし、上記特許文献１に記載の冷蔵庫では、通風のある空間しか脱臭できなかった。すなわち、脱臭材自身が悪臭成分を集める機能がないため、強制的に悪臭を含んだ空気を送り込む手段が別に必要であった。よって、密閉されて大気圧より低い圧力状態に減圧される貯蔵室のように、貯蔵室内への送風手段がない場合、十分な脱臭効果を発揮できなかった。
【０００５】
本発明の目的は、気体の移動が抑制されて、大気圧より低い圧力状態に減圧される貯蔵室内の脱臭効果を向上させた冷蔵庫を得ることである。
【課題を解決するための手段】
【０００６】
上記目的を達成するために、大気圧より低い圧力状態に減圧される貯蔵室と、前記貯蔵室を開閉する蓋部材とを有する冷蔵庫において、前記貯蔵室内の水分を吸着して保持すると共に前記貯蔵室内の悪臭成分を脱臭する脱臭部材を前記貯蔵室内に有し、該脱臭部材は前記貯蔵室内の水分を吸着して保持する吸湿性繊維と前記貯蔵室内の悪臭成分を吸着もしくは分解して脱臭する消臭性繊維とで一体に形成されたことを特徴とする。
【０００７】
また、大気圧より低い圧力状態に減圧される貯蔵室と、前記貯蔵室を開閉する蓋部材とを有する冷蔵庫において、前記貯蔵室内の水分を吸着して保持し且つ保持した水分を放出すると共に前記貯蔵室内の悪臭成分を脱臭する脱臭部材を前記貯蔵室内に有し、前記脱臭部材は前記貯蔵室内の水分を吸着して保持すると共に保持した水分を放出する吸放湿性繊維と前記貯蔵室内の悪臭成分を吸着もしくは分解して脱臭する消臭性繊維とで一体に形成されたことを特徴とする。
【０００８】
また、前記消臭性繊維は架橋構造を有すると共に金属塩の微粒子を含有したものであることを特徴とする。
【０００９】
また、前記消臭性繊維は架橋繊維のカルボキシル基の少なくとも一部にＡｇイオンを結合させた後、アルカリ処理によってＡｇを繊維表面にナノサイズレベルの超微粒子状に析出固着させたものであることを特徴とする。
【００１０】
また、前記吸放湿性繊維はアクリレート系の吸放湿性繊維とし、前記消臭性繊維はアルカリ金属塩型カルボキシル基と架橋構造を有するアクリレート系繊維に酸化銀の微粒子を含有したものであることを特徴とする。
【００１１】
また、前記消臭性繊維または吸放出性繊維の少なくともいずれかに第４級アンモニウム塩を含浸させたことを特徴とする。
【００１２】
また、前記脱臭部材を構成する消臭性繊維の占める割合は２１乃至５０重量％であることを特徴とする。
【００１３】
また、大気圧より低い圧力状態に減圧される貯蔵室と、前記貯蔵室を開閉する蓋部材とを有する冷蔵庫において、前記貯蔵室内の水分を吸着して保持すると共に前記貯蔵室内の悪臭成分を脱臭する脱臭部材を有し、前記脱臭部材は前記貯蔵室内の水分を吸着して保持する吸湿性繊維と前記貯蔵室内の悪臭成分を吸着もしくは分解して脱臭する消臭性繊維とで一体的に板状に形成され、前記貯蔵室の空気排気口の近傍に配置したことを特徴とする。
【発明の効果】
【００１４】
本発明は、気体の移動が抑制されて、大気圧より低い圧力状態に減圧される貯蔵室内の脱臭効果を向上させた冷蔵庫を得ることができる。
【発明を実施するための最良の形態】
【００１５】
以下、本発明の一実施形態の冷蔵庫について図を用いて説明する。
【００１６】
まず、図１及び図２を参照しながら冷蔵庫の構成に関して説明する。図１は、本実施形態の冷蔵庫の中央縦断面図である。図２は、図１の冷蔵室の最下段空間部分の断面斜視図である。
【００１７】
冷蔵庫は、冷蔵庫本体１及び扉６〜１０を備えて構成されている。冷蔵庫本体１は、鋼板製の外箱１１と樹脂製の内箱１２との間にウレタン発泡断熱材１３及び真空断熱材（図示せず）を有して構成され、上から冷蔵室２、冷凍室３，４，野菜室５の順に複数の貯蔵室を有している。換言すれば、最上段に冷蔵室２が、最下段に野菜室５が、それぞれ区画して配置されており、冷蔵室２と野菜室５との間には、これらの両室と断熱的に仕切られた冷凍室３，４が配設されている。冷蔵室２及び野菜室５は冷蔵温度帯の貯蔵室であり、冷凍室３，４は、０℃以下の冷凍温度帯（例えば、約−２０℃〜−１８℃の温度帯）の貯蔵室である。これらの貯蔵室２〜５は仕切り壁３３，３４，３５により区画されている。
【００１８】
冷蔵庫本体１の前面には、貯蔵室２〜５の前面開口部を閉塞する扉６〜１０が設けられている。冷蔵室扉６は冷蔵室２の前面開口部を閉塞する扉、冷凍室扉８は冷凍室３の前面開口部を閉塞する扉、冷凍室扉９は冷凍室４の前面開口部を閉塞する扉、野菜室扉１０は野菜室５の前面開口部を閉塞する扉である。冷蔵室扉６は観音開き式の両開きの扉で構成され、冷凍室扉８，冷凍室扉９，野菜室扉１０は、引き出し式の扉によって構成され、引き出し扉とともに貯蔵室内の容器が引き出される。
【００１９】
冷蔵庫本体１には、冷凍サイクルが設置されている。この冷凍サイクルは、圧縮機１４、凝縮器（図示せず）、キャピラリチューブ（図示せず）及び蒸発器１５、そして再び圧縮機１４の順に接続して構成されている。圧縮機１４及び凝縮器は冷蔵庫本体１の背面下部に設けられた機械室に設置されている。蒸発器１５は冷凍室３，４の後方に設けられた冷却器室に設置され、この冷却器室における蒸発器１５の上方に送風ファン１６が設置されている。
【００２０】
蒸発器１５によって冷却された冷気は、送風ファン１６によって冷蔵室２，冷凍室３，４及び野菜室５の各貯蔵室へと送られる。具体的には、送風ファン１６によって送られる冷気は、開閉可能なダンパー装置を介して、その一部が冷蔵室２及び野菜室５の冷蔵温度帯の貯蔵室へと送られ、他の一部が冷凍室３，４の冷凍温度帯の貯蔵室へと送られる。
【００２１】
送風ファン１６によって冷蔵室２，冷凍室３，４及び野菜室５の各貯蔵室へと送られる冷気は、各貯蔵室を冷却した後、冷気戻り通路を通って冷却器室へと戻される。このように、本実施形態の冷蔵庫は冷気の循環構造を有しており、各貯蔵室２〜５を適切な温度に維持する。
【００２２】
冷蔵室２内には、透明な樹脂板で構成される複数段の棚１７〜２０が取り外し可能に設置されている。最下段の棚２０は、内箱１２の背面及び両側面に接するように設置され、その下方空間である最下段空間２１を上方空間と区画している。また、各冷蔵室扉６の内側には複数段の扉ポケット２５〜２７が設置され、これらの扉ポケット２５〜２７は冷蔵室扉６が閉じられた状態で冷蔵室２内に突出するように設けられている。冷蔵室２の背面には、送風ファン１６から供給された冷気を通す通路を形成する背面パネル３０が設けられている。
【００２３】
最下段空間２１には、左から順に、冷凍室３の製氷皿に製氷水を供給するための製氷水タンク２２，デザートなどの食品を収納するための収納ケース２３，室内を減圧して食品の鮮度保持及び長期保存するための減圧貯蔵室２４が設置されている。減圧貯蔵室２４は、冷蔵室２の横幅より狭い横幅を有し、冷蔵室２の側面に隣接して配置されている。
【００２４】
製氷水タンク２２及び収納ケース２３は左側の冷蔵室扉６の後方に配置されている。これによって、左側の冷蔵室扉６を開くのみで、製氷水タンク２２及び収納ケース２３を引き出すことができる。また、減圧貯蔵室２４は右側の冷蔵室扉６の後方に配置されている。これによって、右側の冷蔵室扉６を開くだけで、減圧貯蔵室蓋５０を開き、減圧貯蔵室２４の食品トレイ６０を引き出すことができる。なお、製氷水タンク２２及び収納ケース２３は左側の冷蔵室扉６の最下段の扉ポケット２７の後方に位置することとなり、減圧貯蔵室２４は右側の冷蔵室扉６の最下段の扉ポケット２７の後方に位置することとなる。ここで、蒸発器１５によって冷却されて冷蔵室２へ送られた冷気が減圧貯蔵室２４の周囲を通って減圧貯蔵室２４の内部を間接冷却するようになっている。
【００２５】
製氷水タンク２２の後方には、製氷水ポンプ２８が設置されている。収納ケース２３の後方で且つ減圧貯蔵室２４の後部側方の空間には、減圧貯蔵室２４を減圧するための減圧装置の一例である負圧ポンプ２９が配置されている。負圧ポンプ２９は、減圧貯蔵室２４の側面に設けられたポンプ接続部に導管を介して接続されている。
【００２６】
減圧貯蔵室２４は、食品出し入れ用開口部を有する箱状の減圧貯蔵室本体４０と、減圧貯蔵室本体４０の食品出し入れ用開口部を開閉する減圧貯蔵室蓋５０と、食品を収納して減圧貯蔵室蓋５０に出し入れする食品トレイ６０とを備えて構成されている。減圧貯蔵室本体４０で減圧貯蔵室蓋５０の食品出し入れ用開口部を閉じることにより、減圧貯蔵室本体４０と減圧貯蔵室蓋５０とで囲まれた空間が減圧される低圧空間として形成される。食品トレイ６０は、減圧貯蔵室蓋５０の背面側に取り付けられ、減圧貯蔵室蓋５０の移動に伴って前後に移動可能である。
【００２７】
減圧貯蔵室２４の内部には、脱臭部材である脱臭シートが設置されている。換言すれば、野菜，肉魚などの生鮮食品を保存する減圧貯蔵室２４に脱臭シート８０が設置されている。この脱臭シート８０は、図２に示すように、食品トレイ６０の背壁部に着脱可能に設けられている。
【００２８】
食品トレイ６０に食品を載せて減圧貯蔵室蓋５０を閉じることにより、減圧貯蔵室２４の内部が密閉状態となり、ドアスイッチがオンされて負圧ポンプ２９が駆動され、減圧貯蔵室２４が大気圧より低い状態に減圧される。これにより貯蔵室１３内の酸素濃度が低下するので、食品中の栄養成分の劣化を抑制することができる。更に、減圧貯蔵室２４が密閉されて減圧された状態によって、減圧貯蔵室２４の中に収納された食品からわずかに水分が蒸発することにより、減圧貯蔵室２４の中は湿度１００％になる。食品から発生する悪臭成分は水との親和性が高いため、脱臭シート８０に含まれる吸放湿性繊維８１に水分と悪臭成分が吸着する。そして、吸放湿繊維に吸着した悪臭成分は近傍の消臭性繊維８２によって脱臭される。すなわち、減圧貯蔵室２４は真空を保つ為に高い密閉構造を必要とし、電気配線を必要とする送風手段を設けることは困難であるが、前記脱臭シート８０の吸放湿性繊維８１により送風手段を設けることなく、悪臭成分を集めることが出来、脱臭できる。
【００２９】
そして、減圧貯蔵室蓋５０を手前に引くことにより、減圧貯蔵室蓋５０の一部に設けられた圧力解除バルブがまず動作して減圧貯蔵室２４の減圧状態が解除されて大気圧の状態となり、減圧貯蔵室蓋５０を開くことができる。これによって、簡単に減圧貯蔵室蓋５０を開け、食品の出し入れが出来る。
【００３０】
脱臭部材である脱臭シート８０の詳細について、図３を用いて更に説明する。図３は、脱臭シートを模式的に説明する図である。脱臭シート８０は、主に繊維からなり、量産における組立性，取り扱い性を考慮してこれを板状に圧縮成形することにより剛性が付与されている。即ち、脱臭シート８０は、機能性繊維の不織布から成る。この脱臭シート８０を構成する繊維の種類は、吸放湿性能に優れたアクリレート系吸放湿性繊維、例えば日本エクスラン工業社製ＮＸ−７２と、脱臭性能の優れた消臭性繊維、例えば、日本エクスラン工業社製の商品名ナノアタックと、剛性を持たせるために圧縮成形時に繊維を接着させるための熱融着性繊維、例えば熱融着性ポリエステル繊維とからなり、これらの繊維を混在または積層して一体的に形成されている。なお、本実施例では吸放湿性繊維を用いているが、本発明では水分を吸着して保持する機能の吸湿性繊維を含むものである。
【００３１】
そして、吸放湿性繊維ＮＸ−７２は特開平５−１３２８５８号公報に記載されている方法で製造できる。具体的にはアクリル繊維へヒドラジン処理によって架橋構造が導入される。得られた架橋繊維はさらに苛性ソーダ溶液で加水分解を行うとＮａ塩型カルボキシル基が導入され、吸放湿性繊維が得られる。尚、カルボキシル基の塩型は、アルカリ金属であればよく、Ｎａに限定されない。
【００３２】
また、消臭性繊維商品名ナノアタックは、特開２００７−７０７４８号公報に記載されている方法で製造できる。具体的には架橋繊維のカルボキシル基の少なくとも一部にＡｇイオンを結合させた後、アルカリ処理によって、Ａｇを繊維表面にナノサイズレベルの超微粒子状に析出固着させることにより製造することが出来る。
【００３３】
前記脱臭シート８０の吸放湿性繊維は、繊維内部に多くのアルカリ金属塩型カルボキシル基を含有するため、貯蔵室内の水分を多量に吸着して保持することが出来ると共に、繊維内部に架橋構造を有するため、保持した水分を放出する機能を有している。また、前記消臭性繊維は、貯蔵室内の悪臭成分を吸着もしくは分解して脱臭する機能を有しており、架橋構造を有すると共に金属塩の微粒子を含有したものであり、具体的には、架橋繊維のカルボキシル基の少なくとも一部にＡｇイオンを結合させた後、アルカリ処理によって、Ａｇを繊維表面にナノサイズレベルの超微粒子状に析出固着させたものである。
【００３４】
脱臭シート８０は、図３に示すように吸放湿性繊維８１，熱融着性繊維８３とが混在して一体化されている吸放湿性シート８４と、消臭性繊維８２，熱融着性繊維８３とが混在して一体化されている消臭性シート８５を張り合わせた構成となっている。吸放湿性繊維８１は、図３においてその１本を模式的に拡大して示すように、架橋結合８６を有するアクリレート系繊維にＮａ塩型カルボキシル基８７を含有している。消臭性繊維８２は、図３においてその１本の断面を模式的に拡大して示すように、Ａｇ８９が架橋繊維９０表面にナノサイズレベルの超微粒子状に析出固着している。この脱臭シート８０が接する減圧貯蔵室２４の空気中の悪臭成分、例えばメチルメルカプタンは、銀の微粒子により酸化分解されて脱臭されるものと考えられる。その反応式を次に示す。
【００３５】
（化１）  Ａｇ2Ｏ＋ＣＨ3ＳＨ＋３／２Ｏ2→Ａｇ2Ｓ＋ＣＯ2＋２Ｈ2Ｏ
ここで生成した水分８８は、吸放湿性繊維８１中のアルカリ金属塩型カルボキシル基に吸着し、調湿や悪臭成分の捕集に有効に活用される。
【００３６】
次に熱融着性繊維８３の混率について表１を用いて説明する。
【００３７】
【表１】
2010038493.tif 000003
【００３８】
脱臭シート８０は、量産における組立性，取り扱い性を考慮してこれを板状に圧縮成形することにより強度（剛性）を付与することが望ましいが、そのためには熱融着性繊維８３の混在が必要である。この熱融着性繊維８３の混率による強度（剛性）の変化は表１に示す通りであり、熱融着性繊維８３の混率が４０重量％以下になると、強度が所定以下に低下することが判明した。従って、脱臭シート８０を板状に圧縮成形するためには、熱融着性繊維８３の混率を４０重量％以上にすることが必要である。
【００３９】
次に、本発明の脱臭シート８０における吸放湿性シート８４と消臭性シート８５の混合比と脱臭性能の関係について、図４を用いて説明する。
【００４０】
吸放湿性繊維８１と消臭性繊維８２は同一単価ではなく、消臭性繊維８２の方が銀の使用や加工方法から、コスト高であることが判っている。脱臭シート８０は最もコストの安い配合で最も高い脱臭性能を得られる配合が最も好ましい。そこで、最もコストの安い配合で最も高い脱臭性能を得られる配合を求めるために、コストを一定としたときの吸放湿性繊維８１と消臭性繊維８２の混合比と、冷蔵庫の悪臭成分の主成分であるイオウ系臭気の代表のメチルメルカプタンと、肉魚の腐敗臭の主成分であるチッソ系臭気の代表であるアンモニアの脱臭性能の関係を測定した。その結果を図４に示す。図４の横軸は吸放湿性繊維８１と消臭性繊維８２の混合比を、左縦軸には吸放湿性繊維８１と消臭性繊維８の繊維量を、右縦軸にはメチルメルカプタンとアンモニアの残存率を示す。９１は吸放湿性繊維８１の繊維量を、９２は消臭性繊維８２の繊維量を、９３はメチルメルカプタンの残存率を、９４はアンモニアの残存率を、９５はメチルメルカプタンの残存率９３とアンモニアの残存率９４の和で求めた総合脱臭性能を示す。
【００４１】
検討の結果、最もコストの安い配合で最も高い脱臭性能を得られる配合は、吸放湿性繊維８１が２５％以下で、消臭性繊維８２が７５％以上では、吸放湿性繊維８１が１００％のときより、脱臭性能が悪いことが判る。従って、吸放湿性繊維８１と消臭性繊維８２の最適な混合比は、吸放湿性繊維８１が２５％以上１００％未満で、消臭性繊維８２が７５％以下である配合が好ましい。
【００４２】
減圧貯蔵室２４内部に脱臭シート８０を設置することにより、負荷多量時、あるいは扉開閉により外部の暖気が低温の減圧貯蔵室２４内に流入した場合には、室内の余分な水分を吸湿する事によって結露の発生を防ぎ、負荷少量時あるいは水分含有量の少ない食品が負荷として収納される等により貯蔵室内の水分量が低下した場合には、保持した水分を蒸散させて室内の食品の保存および悪臭成分捕集に適した水分量に調整することができる。上述のような構成としたことにより、脱臭シート８０は、食品貯蔵中には常に水分を保持することが出来、水分を吸着材として効果的に脱臭することができる。
【００４３】
更に、水分を常に保持しているため、菌の繁殖には優位な環境となるが、繊維の表面を例えば第４級アンモニウム塩の如き抗菌剤で覆うもしくは繊維に抗菌剤を化学的に含有させる等の加工を施し、脱臭シート８０に抗菌剤を坦持せしめる事により、菌の繁殖を防ぐことができる。
【００４４】
なお、脱臭シート８０に第４級アンモニウム塩を含浸させて抗菌性を付与する場合、その加工方法は問わない。即ち、該部材を構成する何れかの繊維に予め含浸処理を施しておいてから脱臭シート８０を構成してもよいし、成形された脱臭シート８０に含浸処理を施してもよい。
【００４５】
本発明の冷蔵庫においては、貯蔵室内の水分を吸着して保持する吸放湿性繊維８１と悪臭成分を吸着もしくは分解して脱臭する消臭性繊維８２とを混在させて一体的に形成して脱臭シート８０としているので、コンパクトかつ安価な構成で、脱臭シート８０に接する水分が吸放湿性繊維８１に吸着されて保持されることにより減圧貯蔵室２４内の結露を防止することができ、また、減圧貯蔵室２４内に水分と共に存在している悪臭成分がこの吸着されて保持される水分と一緒に脱臭シート８０内に集められ、この悪臭成分が保持されている水分と共に保持されることにより脱臭シート８０内にとどめられ、このことにより消臭性繊維８２により効果的に吸着もしくは分解されて脱臭され、これにより多量の悪臭を脱臭することができる。
【００４６】
そして、減圧貯蔵室２４内の水分を吸着して保持すると共に保持している水分を放出する吸放湿性繊維８１と貯蔵室内の悪臭成分を吸着もしくは分解して脱臭する消臭性繊維８２とを一体的に形成して脱臭シート８０としているので、コンパクトかつ安価な構成で、減圧貯蔵室２４内の水分が吸放湿性繊維８１に吸着されて保持されることにより、減圧貯蔵室２４内の悪臭成分が水分と一緒に集められ、この悪臭成分が水分により保持されて脱臭シート８０内にとどめられるため、悪臭成分を効果的に脱臭することが出来ると共に、保持された水分が放出され、その後に新たな水分が吸着されて保持されることにより、悪臭成分がこの新たに吸着される水分と一緒に集められて前述した効果的な脱臭が行われ、これが繰り返し行われることによりさらに多量の悪臭を脱臭することができる。また、減圧貯蔵室２４は真空を保つ為に高い密閉構造を必要とし、電気配線を必要とする送風手段を設けることは困難であるが、前記脱臭シート８０により送風手段を設けることなく、悪臭成分を集めることが出来、脱臭できる。
【００４７】
また、架橋構造を有すると共に、金属塩の微粒子を含有した消臭性繊維８２を脱臭シート８０に用いているので、より優れた脱臭効果を得ることができる。
【００４８】
さらには、消臭性繊維８２は、架橋繊維のカルボキシル基の少なくとも一部にＡｇイオンを結合させた後、アルカリ処理によって、Ａｇを繊維表面にナノサイズレベルの超微粒子状に析出固着しているので、より一層優れた脱臭効果を得ることができる。
【００４９】
さらには、アクリレート系の吸放湿性繊維８１と、アルカリ金属塩型カルボキシル基と架橋構造を有する繊維に酸化銀の微粒子を含有させた消臭性繊維８２を脱臭シート８０に用いているので、より一層優れた調湿効果と脱臭効果を得ることができる。
【００５０】
また、脱臭シート８０に第４級アンモニウム塩を含浸させているので、水分が保持されて菌の繁殖に適した環境にもかかわらず、脱臭シート８０が菌等で汚染されるのを確実に防止することができる。尚、ここで言う第４級アンモニウム塩には例えばアルキルトリメチルアンモニウム塩やアルキルジメチルべンジルアンモニウム塩等がある。
【００５１】
さらに、脱臭シート８０を構成する消臭性繊維８２の占める割合を２１〜５０重量％にしているので、脱臭性能及び加工性に優れた脱臭シート８０を得ることができる。
【００５２】
また、脱臭シート８０を減圧貯蔵室２４の空気排気口の近傍に配置しているので、減圧貯蔵室２４内の空気中の悪臭成分を集中的に除去することができる。
【００５３】
以上のように、減圧貯蔵室は真空を保つ為に高い密閉構造を必要とするため、電気配線を必要とする送風手段を設けることなく、コンパクトかつ安価な構成で、減圧貯蔵室内の水分が吸湿性繊維に吸着されて保持されることにより貯蔵室内の結露を防止することができ、また、貯蔵室内の悪臭成分が水分と一緒に集められ、この悪臭成分が保持されている水分と共に保持されることにより脱臭シートにとどめられ、このことにより消臭性繊維により効果的に吸着もしくは分解されて脱臭され、これにより多量の悪臭を脱臭することができる冷蔵庫を得ることができる。
【００５４】
また、コンパクトかつ安価な構成で、貯蔵室内の水分が吸放湿性繊維に吸着されて保持されることにより、貯蔵室内の悪臭成分が水分と一緒に集められ、この悪臭成分が水分により保持されて脱臭シート内にとどめられるため、悪臭成分が消臭性繊維により効果的に脱臭することが出来ると共に、保持された水分が放出され、その後に新たな水分が吸着されて保持されることにより、悪臭成分がこの新たに吸着される水分と一緒に集められて前述した効果的な脱臭が行われ、これが繰り返し行われることによりさらに多量の悪臭を脱臭することができる冷蔵庫を得ることができる。
【図面の簡単な説明】
【００５５】
【図１】本発明の一実施形態の冷蔵庫の中央縦断面図である。
【図２】図１の冷蔵室の最下段空間部分の断面斜視図である。
【図３】脱臭シートを模式的に説明する図である。
【図４】脱臭シートの吸放湿性繊維と消臭性繊維の混合比と脱臭性能の関係を示す特性図。
【符号の説明】
【００５６】
２４  減圧貯蔵室
５０  減圧貯蔵室蓋
８０  脱臭シート
８１  吸放湿性繊維
８２  消臭性繊維
８３  熱融着性繊維
８４  吸放湿性シート
８５  消臭性シート
８６  架橋結合
８７  Ｎａ塩型カルボキシル基
８８  水分
８９  Ａｇ
９０  架橋繊維
【図１】
2010038493.tif 000004
【図２】
2010038493.tif 000005
【図３】
2010038493.tif 000006
【図４】
2010038493.tif 000007